(57)【要約】  本発明は、一体型液体循環型の二重管ランプに関し、内部に複数のコイル及びフィラメントが実装され、前記フィラメントの位置を固定させる位置固定リングが備えられたランプユニットと、前記ランプユニットが内部に備えられ、前記ランプユニットの外部に一定温度の液体が循環する循環ホールが形成されたランプハウジングと、前記ランプハウジングの両側端部を密閉させ、前記ランプユニットの両側端部が挿入及び貫通する水密防止部材と、前記水密防止部材に結合され、前記循環ホール側に一定量の液体を供給して循環させ、前記液体の温度に応じて循環する液体を排出する液体循環部材と、前記ランプハウジングが装着され、前記ランプユニットから照射される近赤外線の照射量を向上させる反射部材とを含むことを特徴とする。
2019522343.tif 000002
【特許請求の範囲】
【請求項１】
複数のフィラメントと直流接続されるコイルと、
前記フィラメント及びコイルが内部に実装され、両端部に電気コイルと電気的に接続される電源供給部と、
前記フィラメント及びコイルが内蔵され、両端に前記電源供給部が装着されるケーシング部材と、
前記ケーシング部材の内周面に密着構成され、前記フィラメントの位置を固定させる位置固定リングと、
を含むことを特徴とする一体型ランプユニット。
【請求項２】
前記ケーシング部材には前記電源供給部が内蔵され、前記ケーシング部材の両端部を密閉させる密閉部材と、
前記密閉部材に取り付けられ、前記電源供給部と電源ケーブルの接続部をシーリングするシール部材をさらに含むことを特徴とする、請求項１に記載の一体型ランプユニット。
【請求項３】
前記位置固定リングには、中央部に構成され、内周面が前記フィラメントの外面に接する接続リングと、前記接続リングと前記位置固定リングとを連結する固定ケーブルが構成されることを特徴とする、請求項１に記載の一体型ランプユニット。
【請求項４】
前記フィラメントは、５０〜１００ｍｍの間隔で前記ケーシング部材に実装されることを特徴とする、請求項１に記載の一体型ランプユニット。
【請求項５】
内部に複数のコイル及びフィラメントが実装され、前記フィラメントの位置を固定させる位置固定リングが備えられたランプユニットと、
前記ランプユニットが内部に備えられるよう結合され、前記ランプユニットの外部に一定温度の液体が循環する循環ホールが形成されたランプハウジングと、
前記ランプハウジングの両端部に構成され、一定量の液体を供給して循環させ、前記液体の温度に応じて循環する液体を排出する液体循環部材と、
前記ランプハウジングが装着され、前記ランプユニットから照射される近赤外線の照射量を向上させる反射部材と、
を含むことを特徴とする液体循環型二重管ランプ。
【請求項６】
前記ランプハウジングの両側端部を密閉させ、前記ランプユニットの両側端部が挿入及び貫通するランプ結合溝と、前記液体循環部材が結合される貫通孔が形成された水密防止部材をさらに含むことを特徴とする、請求項５に記載の液体循環型二重管ランプ。
【請求項７】
前記ランプユニットは、
電気コイル及びフィラメントが実装され、前記位置固定リングが固定される発光溝が形成されたケーシング部材と、
前記ケーシング部材の両端部に一体に形成され、電気コイルと電気的に接続される電源供給部が装着された密閉部材と、
前記密閉部材の終端部に取り付けられ、前記電源供給部と電源ケーブルの接続部をシーリングするシール部材と、
を含むことを特徴とする、請求項５に記載の液体循環型二重管ランプ。
【請求項８】
前記ランプユニットには前記位置固定リングの中央部に構成され、前記フィラメントと接続される接続リング及び前記接続リングと前記位置固定リングとを連結する固定ケーブルをさらに含むことを特徴とする、請求項７に記載の液体循環型二重管ランプ。
【請求項９】
前記液体循環部材は、
水密防止部材の一側部に結合され、一定量の液体を供給及び吐出させる第１循環部材と、
前記水密防止部材の他側部に結合され、前記液体の温度に応じて前記循環ホールを循環する液体を吸入及び排出する第２循環部材と、
を含むことを特徴とする、請求項５に記載の液体循環型二重管ランプ。
【請求項１０】
前記第２循環部材は、前記液体の温度が５０℃を超過するとき前記液体を吸入及び排出させることを特徴とする、請求項９に記載の液体循環型二重管ランプ。
【請求項１１】
前記反射部材は、前記近赤外線の照射量を３３００ＬＵＸ〜４９００ＬＵＸの範囲に向上させる反射板と、前記反射部材をサウナ機器に固定結合する固定フランジがさらに構成されることを特徴とする、請求項５に記載の液体循環型二重管ランプ。
【発明の詳細な説明】
【技術分野】
【０００１】
本発明は、一体型ランプユニット及びこれを備える液体循環型二重管ランプに関する。より詳しくは、サウナなどに施工されて人体に良い近赤外線などの放射される二重管ランプの容易で手軽な交換作業を可能にし、二重管ランプの内部で破損又は損傷などにより発光効率が低下すれば、ランプモジュールのみを個別的に分離し切り替えることで、二重管ランプのメンテナンス及び管理が極めて容易な一体型ランプユニット及びこれを備える液体循環型二重管ランプに関する。
【背景技術】
【０００２】
一般的に、サウナは、密閉された空間内に加熱配管及び電気ヒーターなどを用いて高温にし、汗を介して老廃物を排出するためのものであって、最近ではサウナ室内に遠赤外線を発生するゲルマニウム、炭などを備えて赤外線が放出されるようにする。
【０００３】
一例として、関連先行技術の大韓民国実用新案第２０−０４３９３０９号（遠赤外線ランプが備えられたサウナ用電気放熱器）には、電気放熱器の正面部の中端に断熱板の溝部を構成し、前記断熱板の溝部に断熱板を挟んで構成し、前記断熱板の内部に遠赤外線ランプ及び電気供給装置を構成して電気放熱器内の放熱熱気が遮断されるよう構成した内容が提示されているが、前記先行技術は、電気コイル及び送風機を通した加熱方式で、通常のサウナ室の内部温度を高めようとする目的のサウナ用の放熱器であって、放熱器そのもので発生する高温によりユーザの体に近接するよう設けられない構造であり、遠赤外線ランプを介して赤外線を放出するものの、体の全体にわたってまんべんなく照射されないことから、赤外線の効果が低減される問題がある。
【０００４】
また、大韓民国登録特許第１０−１５５８７９０号（赤外線ランプ管）には、管体からなり、内部に空間部を形成したケースと、前記ケースの内側に複数のハロゲンランプが離隔して長手方向に配置される赤外線発光部と、前記ケースの両側にそれぞれ挟まれる栓と、前記ケースの空間部にフィルター液が満たされ、前記ケースの一側に挟まれる栓にフィルター液の流入口が形成され、他方にはフィルター液の流出口が形成されることを特徴とする構成が掲載されているが、上記のような構造の場合、複数の発光部のいずれか１つが破損されてもケース全体を交換しなければならことから、メンテナンスが増加し、使用効率が著しく低下するという問題がある。
【発明の概要】
【発明が解決しようとする課題】
【０００５】
このような問題を解決するために本発明は、前述した背景技術により案出されたものであって、サウナなどに施工されて人体に良い近赤外線などの放射が行われる二重管ランプの容易で手軽な交換作業を可能にし、体形ランプユニット及びこれを備える液体循環型二重管ランプを提供することにその目的がある。
【課題を解決するための手段】
【０００６】
このような課題を達成するための本発明の一実施形態によれば、複数のフィラメントと直流接続されるコイルと、前記フィラメント及びコイルが内部に実装され、両端部に電気コイルと電気的に接続される電源供給部と、前記フィラメント及びコイルが内蔵され、両端に前記電源供給部が装着されるケーシング部材と、前記ケーシング部材の内周面に密着構成され、前記フィラメントの位置を固定させる位置固定リングとを含むことを特徴とする一体型ランプユニットを提供する。
【０００７】
本発明の一実施形態によれば、前記ケーシング部材には前記電源供給部が内蔵され、前記ケーシング部材の両端部を密閉させる密閉部材と、前記密閉部材に取り付けられて前記電源供給部と電源ケーブルの接続部をシーリングするシール部材とをさらに含むことを特徴とする一体型ランプユニットを提供する。
【０００８】
本発明の一実施形態によれば、前記位置固定リングは中央部に構成され、内周面が前記フィラメントの外面に接する接続リングと、前記接続リングと前記位置固定リングとを連結する固定ケーブルが構成されることを特徴とする一体型ランプユニットを提供する。
【０００９】
本発明の一実施形態によれば、前記フィラメントは、５０〜１００ｍｍの間隔で前記ケーシング部材に実装されることを特徴とする一体型ランプユニットを提供する。
【００１０】
また、本発明の他の一実施形態によれば、内部に複数のコイル及びフィラメントが実装され、前記フィラメントの位置を固定させる位置固定リングが備えられたランプユニットと、前記ランプユニットが内部に備えられ、前記ランプユニットの外部に一定温度の液体が循環する循環ホールが形成されたランプハウジングと、前記ランプハウジングの両側端部を密閉させ、前記ランプユニットの両側端部が挿入及び貫通する水密防止部材と、前記水密防止部材に結合され、前記循環ホール側に一定量の液体を供給して循環させ、前記液体の温度に応じて循環する液体を排出する液体循環部材と、前記ランプハウジングが装着され、前記ランプユニットから照射される近赤外線の照射量を向上させる反射部材とを含むことを特徴とする。
【００１１】
また、本発明の他の一実施形態によれば、前記ランプユニットは、電気コイル及びフィラメントが実装され、前記位置固定リングが固定される発光溝が形成されたケーシング部材と、前記ケーシング部材の両端部に一体に形成され、電気コイルと電気的に接続される電源供給部が装着された密閉部材と、前記密閉部材の終端部に取り付けられ、前記電源供給部と電源ケーブルの接続部をシーリングするシール部材とを含むことを特徴とする。
【００１２】
また、本発明の他の一実施形態によれば、前記ランプユニットには、前記位置固定リングの中央部に構成され、前記フィラメントと接続される接続リング及び前記接続リングと前記位置固定リングとを連結する固定ケーブルをさらに含むことを特徴とする。
【００１３】
また、本発明の他の一実施形態によれば、前記液体循環部材は、前記水密防止部材の一側部に結合され、一定量の液体を供給及び吐出させる第１循環部材と、前記水密防止部材の他側部に結合して前記液体の温度に応じて前記循環ホールを循環する液体を吸入及び排出する第２循環部材とを含むことを特徴とする。
【００１４】
また、本発明の他の一実施形態によれば、前記第２循環部材は、前記液体の温度が５０℃を超過するとき前記液体を吸入及び排出させることを特徴とする。
【００１５】
また、本発明の他の一実施形態によれば、前記反射部材は、前記近赤外線の照射量を３３００ＬＵＸ〜４９００ＬＵＸの範囲に向上させる反射板と、前記反射部材をサウナ機器に固定結合する固定フランジがさらに構成されることを特徴とする。
【発明の効果】
【００１６】
このような本発明の実施形態によると、サウナなどに施工されて人体に良い近赤外線などの放射が行われる二重管ランプの容易で手軽な交換作業を可能にする効果がある。
【００１７】
また、本発明の実施形態によると、二重管ランプの内部で破損又は損傷などによって発光効率が低下すれば、ランプモジュールのみを個別的に分離して交換することで、二重管ランプのメンテナンス及び管理が極めて容易である効果がある。
【図面の簡単な説明】
【００１８】
【図１】本発明の一実施形態に係る一体型ランプユニット及びこれを備える液体循環型二重管ランプを示した斜視図である。
【図２】本発明の一実施形態に係る一体型ランプユニット及びこれを備える液体循環型二重管ランプを示した斜視図である。
【図３】本発明の一実施形態に係る一体型ランプユニット及びこれを備える液体循環型二重管ランプを示した要部結合断面図である。
【図４】本発明の一実施形態に係る一体型ランプユニット及びこれを備える液体循環型二重管ランプを示した要部結合断面図である。
【図５】本発明の一実施形態に係る一体型ランプユニットの位置固定リングを示した拡大断面図である。
【発明を実施するための形態】
【００１９】
本発明は、一体型液体循環型の二重管ランプに関し、内部に複数のコイル及びフィラメントが実装され、前記フィラメントの位置を固定させる位置固定リングが備えられたランプユニットと、前記ランプユニットが内部に備えられ、前記ランプユニットの外部に一定温度の液体が循環する循環ホールが形成されたランプハウジングと、前記ランプハウジングの両側端部を密閉させ、前記ランプユニットの両側端部が挿入及び貫通する水密防止部材と、前記水密防止部材に結合され、前記循環ホール側に一定量の液体を供給して循環させ、前記液体の温度に応じて循環する液体を排出する液体循環部材と、前記ランプハウジングが装着され、前記ランプユニットから照射される近赤外線の照射量を向上させる反射部材を含むことを特徴とする。
【００２０】
図１及び図２は、本発明の一実施形態に係る一体型ランプユニット及びこれを備える液体循環型二重管ランプを示した斜視図、図３及び図４は、本発明の一実施形態に係る一体型ランプユニット及びこれを備える液体循環型二重管ランプを示した要部結合断面図である。図５は、本発明の一実施形態に係る一体型ランプユニットの位置固定リングを示した拡大断面図である。
【００２１】
図示するように、本発明の一体型液体循環型の二重管ランプは、ランプユニット１００、ランプハウジング２００、及び反射部材３００を含んで構成される。
【００２２】
ランプユニット１００は、内部にコイル１２０及びフィラメント１３０が実装される発光溝１１２が形成されるケーシング部材１１０と、ケーシング部材１１０の内部に備えられ、前記フィラメント１３０が外部衝撃などによって流動しながら損傷されることを防止する位置固定リング１７０、及び電気コイル１２０側に所定の電源を供給する電源供給部１４０を含んで構成される。
【００２３】
ケーシング部材１１０は、両端部に電気コイル１２０と電気的に接続され、外部電源を供給する電源供給部１４０が装着された密閉部材１１４を構成している。
【００２４】
密閉部材１１４は、ケーシング部材１１０の両端部に一体形成され、前記発光溝１１２を完全に密閉してランプユニット１００の外部を循環する水が流入されることを防止する。
【００２５】
このような密閉部材１１４は、内部にコイル１２０の端部が挿入されてコイル１２０と電源供給部１４０との間に電気的に接続されるよう構成される。
【００２６】
また、密閉部材１１４には、終端部で電源ケーブル１６０と電源供給部１４０が互いに接続されるようにし、同時に、前記電源ケーブル１６０及び電源供給部１４０の接続部をシーリングするシール部材１５０が構成されている。
【００２７】
シール部材１５０は、一端部が密閉部材１１４の終端部に取り付けられ、他端部が電源ケーブル１６０が挿入されて密閉部材１１４に備えられる電源供給部１４０と電源ケーブル１６０との間の接続部をシーリングする構成要素である。
【００２８】
位置固定リング１７０は、ケーシング部材１１０の内部に所定の間隔離隔するように複数構成されているが、コイル１２０と連結されているフィラメント１３０の位置を固定するものであって、前記フィラメント１３０と同じ数に構成される。
【００２９】
このような位置固定リング１７０は、外周面がケーシング部材１１０の内周面に密着するよう構成され、その中央にフィラメント１３０が貫通するよう構成される。
【００３０】
また、位置固定リング１７０には、その中央部にフィラメント１３０の外周面に接する接続リング１８０がさらに構成され、接続リング１８０には、位置固定リング１７０と連結されるよう固定ケーブル１８２が構成されている。
【００３１】
固定ケーブル１８２は金属材質からなり、接続リング１８０と位置固定リング１７０とを連結して接続リング１８０が位置固定リング１７０の中央部に固定された状態を保持するようにする。
【００３２】
これによって、接続リング１８０に接続されたフィラメント１３０の位置が位置固定リング１７０の中央部に固定された状態を保持できるようになり、外部からの衝撃が発生してもフィラメント１３０の損傷を防止できる。
【００３３】
ここで、前記フィラメント１３０は、所定の間隔離隔するように複数構成され、コイル１２０と直流に連結されて電流が提供され、電源の印加時に赤外線を照射してユーザの脊椎部位の筋肉及び神経組織で発生する急性又は慢性的な痛みを緩和し、身体の血液循環を改善させたり、筋肉の凝りなどを解消するために痛みの発生部位に温熱による刺激を介して血行を改善する。
【００３４】
ここで、フィラメント（ｆｉｌａｍｅｎｔ）１３０は、５０〜１００ｍｍの間隔でケーシング部材１１０に実装されてもよく、これは、サウナなどを利用するとき成人の身体部位へ均一に赤外線が照射されるようにするためである。
【００３５】
ランプハウジング２００は、ランプユニット１００が内部に備えられ、そのランプユニット１００の外部に一定温度の液体が循環する循環ホール２０２が形成され、前記ランプユニット１００から赤外線が照射されるとき、一定量の液体が流動されながら近赤外線のみがユーザに伝達されるようにする役割を果たす。
【００３６】
このようなランプハウジング２００は、両側端部が開放された形態の中空管から形成され、ランプユニット１００で照射される赤外線が投光されるようアクリルのような透明な材質からなる。
【００３７】
ここで、ランプハウジング２００の開放された両側端部には、前記ランプユニット１００の位置を固定し、前記循環ホール２０２を介して循環される水のような液体が流出されることを防止する水密防止部材２１０が構成される。
【００３８】
水密防止部材２１０はシリコンなどからなり、ランプハウジング２００の両端部を完全に密閉させ、中央部でランプユニット１００の密閉部材１１４が貫通して外部に露出されることで、外部電源の供給が行われるようにするランプ結合ホール２１２を形成する。
【００３９】
ランプ結合ホール２１２は、その直径がランプユニット１００のケーシング部材１１０の直径と同一であるか、又は、前記ケーシング部材１１０の直径よりも小さく形成され、前記ケーシング部材１１０の終端部が挿入及び貫通すると同時に、水密防止部材２１０と緊密に結合されるように構成され、循環ホール２０２を介して循環する液体がランプ結合ホール２１２とケーシング部材１１０との間の隙間に流出されないように構成される。
【００４０】
また、水密防止部材２１０には、後述する液体循環部材２３０が挿入及び貫通する貫通ホール２１４が形成され、前記貫通ホール２１４も前記ランプ結合ホール２１２と同様に、液体循環部材２３０と緊密に結合されるよう構成されることが好ましい。
【００４１】
液体循環部材２３０は、ランプハウジング２００に形成された循環ホール２０２側に一定量の水を供給及び吐出しながら液体の流動により循環が行われるようにする構成要素である。
【００４２】
このような液体循環部材２３０は、水密防止部材２１０の一側及び他側部にそれぞれ構成される第１及び第２循環部材２３２，２３４からなる。
【００４３】
第１循環部材２３２は図面に図示していないが、水のような液体が格納される液体貯蔵タンクに連結され、一定量の水が供給される供給部２３２ａと、前記第１供給部２３２ａから供給された水を循環ホール２０２側に吐出させる吐出部２３２ｂからなる。
【００４４】
また、第２循環部材２３２は、循環ホール２０２を循環しながらランプユニット１００から照射される赤外線によって一定の温度以上に加熱された液体を外部に排出し、循環ホール２０２の内部で循環する液体の温度を一定温度に保持させるものとして、前記液体を吸入する吸入部２３４ａと、吸入された液体を排出する排出部２３４ｂからなる。
【００４５】
ここで、第２循環部材２３４は、通常の吸入ポンプ又は循環ポンプなどの構成要素と連結され、循環ホール２０２上の液体を吸入及び排出するように構成され、排出部２３４ｂは、排出される液体は再び液体貯蔵タンクに排出されながら、一定温度に冷却してから前記第１循環部材２３２によって循環ホール２０２の内部に供給されるように構成される。
【００４６】
ここで、第２循環部材２３４には、前記循環ホール２０２の内部で循環する液体の温度は、最低３０℃から最大５０℃の温度範囲内で循環されるようにし、５０℃を超過した時にのみ、第２循環部材２３４を介して排出されるよう温度センサをさらに構成してもよい。
【００４７】
反射部材３００は、ランプハウジング２００の下部が挿入及び結合されながらランプユニット１００から照射される近赤外線の照射量を最大化すると同時に、サウナ機器などのような設備にランプユニット１００が装着されたランプハウジング２００を設けるようにする構成要素である。
【００４８】
このような反射部材３００は、ランプユニット１００から照射される近赤外線の照射量を３３００ＬＵＸ〜４９００ＬＵＸの範囲に向上させて照射されるようにする反射板３１０を内面に配置し、上部両端には、サウナ機器などに本発明のランプユニット１００及びランプハウジング２００を固定結合する固定フランジ３２０がさらに構成される。
【００４９】
このように構成された本発明は、ランプユニット１００の内部に構成されるフィラメント１３０又はコイル１２０の損傷が発生すれば、ランプハウジング２００から分離してランプユニット１００のみを別に切り替えれば良いため、従来のように赤外線を照射するための全ての構成要素が結合されたランプアセンブリそのものを交換しなければならないという問題を克服できる。
【００５０】
ここで、本発明は、サウナなどに施工されて人体に良い近赤外線などの放射が行われる二重管ランプの容易で手軽な交換作業を可能にし、二重管ランプの内部で破損又は損傷などにより発光効率が低下すれば、ランプモジュールのみを個別的に分離して切り替えることで、二重管ランプのメンテナンス及び管理を極めて容易にする発明である。
【００５１】
以上で記載された「含む」、「構成する」又は「有する」などの用語は、特に反対となる記載がない限り、当該の構成要素が内在している可能性があることを意味するためら、他の構成要素を除外するものではなく、他の構成要素をさらに含むものと解釈されなければならず、技術的であるか科学的な用語を含む全ての用語は、異なるように定義されない限り、本発明が属する技術分野で通常の知識を有する者によって一般的に理解されるものと同じ意味を有する。
【００５２】
また、以上の説明は、本発明の技術思想を例示的に説明したものに過ぎず、本発明が属する技術分野で通常の知識を有する者であれば、本発明の本質的な特性から逸脱しない範囲で様々な修正及び変形が可能であろう。したがって、本発明に開示された実施形態は、本発明の技術思想を限定するためのものでなく、説明するためのものであるため、このような実施形態によって本発明の技術思想の範囲が限定されることはない。本発明の保護範囲は下記の請求の範囲によって解釈されるべきであり、それと同等な範囲内にある全ての技術思想は、本発明の権利範囲に含まれるものと解釈されなければならない。
【産業上の利用可能性】
【００５３】
サウナなどに施工されて人体に良い近赤外線などの放射が行われる二重管ランプの容易で手軽な交換作業を容易にして、二重管ランプのメンテナンス及び管理が極めて容易である発明である。
【符号の説明】
【００５４】
１００：ランプユニット
１１０：ケーシング部材
１２０：コイル
１３０：フィラメント
１４０：電源供給部
１５０：シール部材
１６０：電源ケーブル
１７０：位置固定リング
１８０：接続リング
２００：ランプハウジング
２１０：水密防止部材
２３０：液体循環部材
３００：反射部材
３１０：反射板
３２０：固定フランジ
【図１】
2019522343.tif 000003
【図２】
2019522343.tif 000004
【図３】
2019522343.tif 000005
【図４】
2019522343.tif 000006
【図５】
2019522343.tif 000007
【国際調査報告】
2019522343.tif 000008
2019522343.tif 000009
2019522343.tif 000010
2019522343.tif 000011